(57)【要約】【課題】配置のバリエーションにより、記憶に残り易い印象を与えたり、飾り物をより際立たせたりすることができる仕切具を提供すること。【解決手段】仕切具１は、第１主板２と、第２主板３と、第３主板４とを備える。第１主板２と第２主板３とは、第１内側表面部２１と第２内側表面部３１との間に介在する第１中間部材５によって連結され、第２主板３と第３主板４とは、第２外側表面部３２と第３外側表面部４２との間に介在する第２中間部材６によって連結される。この際、第１中間部材５の帯状部材５１，５２，５３が、それぞれ第１の軸が延びる方向および第２の軸が延びる方向に沿って設けられた第１外側表面部２２と第２外側表面部３２とを連結し、第２中間部材６の帯状部材６１，６２，６３が、それぞれ第３の軸が延びる方向および第４の軸が延びる方向に沿って設けられた第２内側表面部３１と第３内側表面部４１とを連結する。【選択図】図４
0003213546.tif 000002
【実用新案登録請求の範囲】
【請求項１】
所定の厚さを有する第１主板と、
所定の厚さを有し、前記第１主板に対して相対的に回動可能な第２主板と、
所定の厚さを有し、前記第２主板に対して相対的に回動可能な第３主板と、
前記第１主板および前記第２主板に連結される第１中間部材と、
前記第２主板および前記第３主板に連結される第２中間部材とを備える仕切具であって、
前記第１主板は、絵柄が表示された第１内側表面部と、前記厚さ方向において前記第１内側表面部とは反対側に設けられ絵柄が表示された第１外側表面部と、前記厚さ方向と直交する方向に延出して前記第１内側表面部および前記第１外側表面部と直交する第１主板第１側面部と、前記厚さ方向および前記第１主板第１側面部の延出方向と直交する方向に延出して前記第１内側表面部および前記第１外側表面部と直交しかつ前記第１主板第１側面部と直交する第１主板第２側面部とを備え、
前記第２主板は、絵柄が表示された第２内側表面部と、前記厚さ方向において前記第２内側表面部とは反対側に設けられ絵柄が表示された第２外側表面部と、前記厚さ方向と直交する方向に延出して前記第２内側表面部および前記第２外側表面部と直交し、前記第１主板第１側面部に対向可能な第２主板第１側面部と、前記厚さ方向および前記第２主板第１側面部の延出方向と直交する方向に延出して前記第２内側表面部および前記第２外側表面部と直交しかつ前記第２主板第１側面部と直交するとともに、前記第１主板第２側面部に対向可能な第２主板第２側面部と、前記第２主板第１側面部とは反対側に設けられた第２主板第３側面部と、前記第２主板第２側面部とは反対側に設けられた第２主板第４側面部とを備え、
前記第３主板は、絵柄が表示された第３内側表面部と、前記厚さ方向において前記第３内側表面部とは反対側に設けられ絵柄が表示された第３外側表面部と、前記厚さ方向と直交する方向に延出して前記第３内側表面部および前記第３外側表面部と直交し、前記第２主板第３側面部に対向可能な第３主板第１側面部と、前記厚さ方向および前記第３主板第１側面部の延出方向と直交する方向に延出して前記第３内側表面部および前記第３外側表面部と直交しかつ前記第３主板第１側面部と直交するとともに、前記第２主板第４側面部に対向可能な第３主板第２側面部とを備え、
前記第１主板第１側面部または前記第２主板第１側面部が延出する方向に延びる軸を第１の軸とし、前記第１主板第２側面部または前記第２主板第２側面部が延出する方向に延びる軸を第２の軸とし、前記第２主板第３側面部または前記第３主板第１側面部が延出する方向に延びる軸を第３の軸とし、前記第２主板第４側面部または前記第３主板第２側面部が延出する方向に延びる軸を第４の軸として、
前記第１中間部材は、前記第１内側表面部と前記第２内側表面部との間に介在し、前記第１の軸が延びる方向に沿って設けられた前記第１主板および前記第２主板の一方の主板の端面部と、前記第２の軸が延びる方向に沿って設けられた前記第１主板および前記第２主板の他方の主板の端面部とに連結され、
前記第２中間部材は、前記第２外側表面部と前記第３外側表面部との間に介在し、前記第３の軸が延びる方向に沿って設けられた前記第２主板および前記第３主板の一方の主板の端面部と、前記第４の軸が延びる方向に沿って設けられた前記第２主板および前記第３主板の他方の主板の端面部とに連結されることを特徴とする仕切具。
【請求項２】
請求項１に記載の仕切具において、
前記第１中間部材は、前記第１内側表面部または前記第２内側表面部と重なる第１主面部と、
前記第１内側表面部と前記第１主板第１側面部とが交わる第１内側辺に沿って前記第１主面部から延設された第１延設部と、
前記第１内側表面部と前記第１主板第２側面部とが交わる第２内側辺に沿って前記第１主面部から延設された第２延設部とを備え、
前記第２中間部材は、前記第２外側表面部または前記第３外側表面部と重なる第２主面部と、
前記第３外側表面部と前記第３主板第１側面部とが交わる第１外側辺に沿って前記第２主面部から延設された第３延設部と、
前記第３外側表面部と前記第３主板第２側面部とが交わる第２外側辺に沿って前記第２主面部から延設された第４延設部とを備え、
前記第１延設部は前記第２外側表面部に連結され、前記第２延設部は前記第１外側表面部に連結され、前記第３延設部は前記第２内側表面部に連結され、前記第４延設部は前記第３内側表面部に連結されることを特徴とする仕切具。
【請求項３】
請求項２に記載の仕切具において、
前記第１延設部は、前記第１主板第１側面部または前記第２主板第１側面部と対向可能な第１対向部と、前記第１対向部に連設された第１連結部とを備え、
前記第２延設部は、前記第１主板第２側面部または前記第２主板第２側面部と対向可能な第２対向部と、前記第２対向部に連設された第２連結部とを備え、
前記第３延設部は、前記第２主板第３側面部または前記第３主板第１側面部と対向可能な第３対向部と、前記第３対向部に連設された第３連結部とを備え、
前記第４延設部は、前記第２主板第４側面部または前記第３主板第２側面部と対向可能な第４対向部と、前記第４対向部に連設された第４連結部とを備え、
前記第１連結部が前記第２外側表面部に連結され、第２連結部が前記第１外側表面部に連結され、前記第３連結部が前記第２内側表面部に連結され、第４連結部が前記第３内側表面部に連結されることを特徴とする仕切具。
【請求項４】
請求項１から請求項３のいずれか一項に記載の仕切具において、
前記第１中間部材および前記第２中間部材は和紙で形成されていることを特徴とする仕切具。
【考案の詳細な説明】
【技術分野】
【０００１】
本考案は、仕切具に関する。
【背景技術】
【０００２】
従来、空間を区画する仕切具として、茶室で道具畳と客畳とを仕切るために用いられる風炉先屏風や、ひな人形等の飾り物を際立たせるために用いられる人形用屏風等が知られている（例えば、特許文献１）。
特許文献１では、図１３に示すように、隣り合う扇板体１００が、２片一対の丁番帯１０２，１０３と、丁番帯１０２，１０３の中間に配置される中間丁番帯１０４とを備えるヒンジ構造１０１によって連結されている。この際、丁番帯１０２，１０３および中間丁番帯１０４の中間部位１０５が扇板体の側面に接した状態で遊離されていることにより、隣り合う一方の扇板体１００に対して他方の扇板体１００が単一軸を中心として３６０度回動でき、扇板体１００の表裏の両面で二つ折重合できるようにしている。
【先行技術文献】
【特許文献】
【０００３】
【特許文献１】特開平１１−３３２４２号公報
【考案の概要】
【考案が解決しようとする課題】
【０００４】
ところで、茶道の世界では、一度きりの出会いを大切にする「一期一会」の精神を重んじている。そのため、茶事や茶会においては、この一度きりの出会いが客人の記憶に残るように誠意を尽くしてもてなすことが重要とされている。
しかし、特許文献１に記載のような従来の屏風では、隣り合う扇板体が単一の軸を中心としてしか相対的に回動できず、扇板体を開く方向が限定されていた。そのため、茶室等において空間を仕切る際に、屏風の表裏面で表示する面を使い分けることしか配置にバリエーションがなく、このような屏風が配置された空間から受ける印象は薄くて記憶に残り難いという問題がある。
また、人形等の飾り物の後方に屏風を配置する場合も、従来の屏風では配置のバリエーションが少ないので、屏風の配置のアレンジによって飾り物をより際立たせることができないという問題もある。
【０００５】
本考案の目的は、絵柄が表示された表面部を複数備える屏風等の仕切具において、配置のバリエーションにより、記憶に残り易い印象を与えたり、飾り物をより際立たせたりすることができる仕切具を提供することである。
【課題を解決するための手段】
【０００６】
本考案の仕切具は、所定の厚さを有する第１主板と、所定の厚さを有し、前記第１主板に対して相対的に回動可能な第２主板と、所定の厚さを有し、前記第２主板に対して相対的に回動可能な第３主板と、前記第１主板および前記第２主板に連結される第１中間部材と、前記第２主板および前記第３主板に連結される第２中間部材とを備える仕切具であって、前記第１主板は、絵柄が表示された第１内側表面部と、前記厚さ方向において前記第１内側表面部とは反対側に設けられ絵柄が表示された第１外側表面部と、前記厚さ方向と直交する方向に延出して前記第１内側表面部および前記第１外側表面部と直交する第１主板第１側面部と、前記厚さ方向および前記第１主板第１側面部の延出方向と直交する方向に延出して前記第１内側表面部および前記第１外側表面部と直交しかつ前記第１主板第１側面部と直交する第１主板第２側面部とを備え、前記第２主板は、絵柄が表示された第２内側表面部と、前記厚さ方向において前記第２内側表面部とは反対側に設けられ絵柄が表示された第２外側表面部と、前記厚さ方向と直交する方向に延出して前記第２内側表面部および前記第２外側表面部と直交し、前記第１主板第１側面部に対向可能な第２主板第１側面部と、前記厚さ方向および前記第２主板第１側面部の延出方向と直交する方向に延出して前記第２内側表面部および前記第２外側表面部と直交しかつ前記第２主板第１側面部と直交するとともに、前記第１主板第２側面部に対向可能な第２主板第２側面部と、前記第２主板第１側面部とは反対側に設けられた第２主板第３側面部と、前記第２主板第２側面部とは反対側に設けられた第２主板第４側面部とを備え、前記第３主板は、絵柄が表示された第３内側表面部と、前記厚さ方向において前記第３内側表面部とは反対側に設けられ絵柄が表示された第３外側表面部と、前記厚さ方向と直交する方向に延出して前記第３内側表面部および前記第３外側表面部と直交し、前記第２主板第３側面部に対向可能な第３主板第１側面部と、前記厚さ方向および前記第３主板第１側面部の延出方向と直交する方向に延出して前記第３内側表面部および前記第３外側表面部と直交しかつ前記第３主板第１側面部と直交するとともに、前記第２主板第４側面部に対向可能な第３主板第２側面部とを備え、前記第１主板第１側面部または前記第２主板第１側面部が延出する方向に延びる軸を第１の軸とし、前記第１主板第２側面部または前記第２主板第２側面部が延出する方向に延びる軸を第２の軸とし、前記第２主板第３側面部または前記第３主板第１側面部が延出する方向に延びる軸を第３の軸とし、前記第２主板第４側面部または前記第３主板第２側面部が延出する方向に延びる軸を第４の軸として、前記第１中間部材は、前記第１内側表面部と前記第２内側表面部との間に介在し、前記第１の軸が延びる方向に沿って設けられた前記第１主板および前記第２主板の一方の主板の端面部と、前記第２の軸が延びる方向に沿って設けられた前記第１主板および前記第２主板の他方の主板の端面部とに連結され、前記第２中間部材は、前記第２外側表面部と前記第３外側表面部との間に介在し、前記第３の軸が延びる方向に沿って設けられた前記第２主板および前記第３主板の一方の主板の端面部と、前記第４の軸が延びる方向に沿って設けられた前記第２主板および前記第３主板の他方の主板の端面部とに連結されることを特徴とする。
【０００７】
このような本考案では、第１中間部材は、第１の軸が延びる方向に沿って設けられた第１主板および第２主板の一方の主板の端面部と、第２の軸が延びる方向に沿って設けられた第１主板および第２主板の他方の主板の端面部とに連結される。そして、第２中間部材は、第３の軸が延びる方向に沿って設けられた第２主板および第３主板の一方の主板の端面部と、第４の軸が延びる方向に沿って設けられた第２主板および第３主板の他方の主板の端面部とに連結される。
このため、第１主板と第２主板とを第１の軸および第２の軸を中心として相対的に回動できる。また、第２主板と第３主板とを第３の軸および第４の軸を中心として相対的に回動できる。これにより、第１主板と第２主板とを第１の軸および第２の軸を中心として開くことができ、第２主板と第３主板とを第３の軸および第４の軸を中心として開くことができるので、これらの開き方によって様々なバリエーションで仕切具を配置することができる。そのため、このような仕切具が配置された茶室等の空間は記憶に残り易い印象を与えることができる。また、配置のバリエーションにより、このような仕切具の前に配置される人形等の飾り物をより際立たせることもできる。
【０００８】
本考案において、前記第１中間部材は、前記第１内側表面部または前記第２内側表面部と重なる第１主面部と、前記第１内側表面部と前記第１主板第１側面部とが交わる第１内側辺に沿って前記第１主面部から延設された第１延設部と、前記第１内側表面部と前記第１主板第２側面部とが交わる第２内側辺に沿って前記第１主面部から延設された第２延設部とを備え、前記第２中間部材は、前記第２外側表面部または前記第３外側表面部と重なる第２主面部と、前記第３外側表面部と前記第３主板第１側面部とが交わる第１外側辺に沿って前記第２主面部から延設された第３延設部と、前記第３外側表面部と前記第３主板第２側面部とが交わる第２外側辺に沿って前記第２主面部から延設された第４延設部とを備え、前記第１延設部は前記第２外側表面部に連結され、前記第２延設部は前記第１外側表面部に連結され、前記第３延設部は前記第２内側表面部に連結され、前記第４延設部は前記第３内側表面部に連結されることが望ましい。
【０００９】
このような本考案では、第１中間部材において、第１延設部は第２外側表面部に連結され、第２延設部は第１外側表面部に連結される。このため、第１主板と第２主板とを第１の軸および第２の軸を中心として、第１内側表面部と第２内側表面部とのなす角度が１８０度より大きな角度となるように相対的に回動できる。また、第２中間部材において、第３延設部は第３内側表面部に連結され、第４延設部は第２内側表面部に連結される。このため、第２主板と第３主板とを第３の軸および第４の軸を中心として、第２外側表面部と第３外側表面部とのなす角度が１８０度より大きな角度となるように相対的に回動できる。このため、第１主板、第２主板および第３主板を様々な角度で開くことができ、仕切具の配置のバリエーションをより増やすことができる。
【００１０】
本考案において、前記第１延設部は、前記第１主板第１側面部または前記第２主板第１側面部と対向可能な第１対向部と、前記第１対向部に連設された第１連結部とを備え、前記第２延設部は、前記第１主板第２側面部または前記第２主板第２側面部と対向可能な第２対向部と、前記第２対向部に連設された第２連結部とを備え、前記第３延設部は、前記第２主板第３側面部または前記第３主板第１側面部と対向可能な第３対向部と、前記第３対向部に連設された第３連結部とを備え、前記第４延設部は、前記第２主板第４側面部または前記第３主板第２側面部と対向可能な第４対向部と、前記第４対向部に連設された第４連結部とを備え、前記第１連結部が前記第２外側表面部に連結され、第２連結部が前記第１外側表面部に連結され、前記第３連結部が前記第２内側表面部に連結され、第４連結部が前記第３内側表面部に連結されることが望ましい。
【００１１】
このような本考案では、第１延設部の第１連結部が第２外側表面部に連結され、第２延設部の第２連結部が第１外側表面部に連結される。また、第３延設部の第３連結部が第３内側表面部に連結され、第４延設部の第４連結部が第２内側表面部に連結される。このため、簡易な構造の第１中間部材および第２中間部材で第１主板、第２主板および第３主板を連結できる。
【００１２】
本考案において、前記第１中間部材および前記第２中間部材は和紙で形成されていることが望ましい。
このような考案では、第１、２中間部材が和紙で形成されているため、第１主板と第２主板とを第１の軸または第２の軸を中心として相対的に回動させた場合や、第２主板と第３主板とを第３の軸または第４の軸を中心として相対的に回動させた場合でも、折り曲げ力に耐えることができ、第１、２中間部材が破れることを防止できる。
【考案の効果】
【００１３】
以上のように、本考案に係る仕切具は、配置のバリエーションにより、記憶に残り易い印象を与えたり、飾り物をより際立たせたりすることができる。
【図面の簡単な説明】
【００１４】
【図１】本考案の一実施形態に係る仕切具を示す内側からみた斜視図。
【図２】前記仕切具を示す外側からみた斜視図。
【図３】前記仕切具を組み立てる前の分解図。
【図４】前記仕切具を組み立てる前の別の分解図。
【図５】前記仕切具を回動させた時の開き方を示す内側からみた斜視図。
【図６】前記仕切具を回動させて別の姿勢とした状態を示す内側からみた斜視図。
【図７】図５に示す状態の仕切具を外側からみた斜視図。
【図８】前記仕切具を回動させて別の姿勢とした状態を示す内側からみた斜視図。
【図９】図１に示す状態の仕切具を折り返す状態を示す部分拡大図。
【図１０】本考案の別の実施形態に係る仕切具を示す内側からみた斜視図。
【図１１】別の実施形態の仕切具を回動させて別の姿勢とした状態を示す内側からみた斜視図。
【図１２】別の実施形態の仕切具をさらに回動させて別の姿勢とした状態を示す斜視図。
【図１３】従来の仕切具のヒンジ構造を示す拡大図。
【考案を実施するための形態】
【００１５】
以下、本実施形態の仕切具１を図１から図４に基づいて説明する。
図１は、仕切具１を内側から見た状態を示し、図２は、仕切具１を外側から見た状態を示す。また、図３および図４は仕切具１を分解した状態を示す。
図１および図２に示すように、仕切具１は、所定の厚さを有する直方体形状の板材から形成された第１主板２、第２主板３および第３主板４を備える。第１主板２と第２主板３とは、後述する回動軸Ｘ１，Ｘ２を中心として相対的に回動可能であり、第２主板３と第３主板４とは、後述する回動軸Ｘ３，Ｘ４を中心として相対的に回動可能である。各主板の大きさは、長辺側の長さが３００ｍｍ程度で、短辺側の長さが２００ｍｍ程度である。また、第１主板２の厚さＴ１、第２主板３の厚さＴ２および第３主板４の厚さＴ３は、それぞれ２５ｍｍ程度でほぼ同じである。
第１主板２と第２主板３とは、後述する第１内側表面部２１と第２内側表面部３１との間に介在する第１中間部材５によって連結されている。また、第２主板３と第３主板４とは、後述する第２外側表面部３２と第３外側表面部４２との間に介在する第２中間部材６によって連結されている。
このような仕切具１は、主に茶室において道具畳と客畳を仕切るための風炉先屏風として用いられる。
【００１６】
図３に示すように、第１主板２は絵柄が表示される表面部として、矩形状の第１内側表面部２１と、第１主板２の厚さ方向において第１内側表面部２１とは反対側に設けられた矩形状の第１外側表面部２２とを備える。また、第１主板２は側面部として、第１主板２の厚さ方向と直交する方向に延出して第１内側表面部２１および第１外側表面部２２と直交する第１側面部２３と、第１主板２の厚さ方向および第１側面部２３の延出方向と直交する方向に延出して第１内側表面部２１および第１外側表面部２２と直交しかつ第１側面部２３と直交する第２側面部２４とを備える。
【００１７】
第１内側表面部２１は、第１の内側辺２１１と、第１の内側辺２１１と直交する方向に延びる第２の内側辺２１２とを備える。第１の内側辺２１１は第１内側表面部２１と第１側面部２３とが交わる辺であり、第２の内側辺２１２は第１内側表面部２１と第２側面部２４とが交わる辺である。
第１外側表面部２２は、第１の内側辺２１１と対向して第１の内側辺と平行に延びる第１の外側辺２２１と、第１の外側辺２２１と直交する方向に延びて第２の内側辺２１２と対向する第２の外側辺２２２とを備える。
第１内側表面部２１および第１外側表面部２２には、絵柄が表示された和紙が貼着される。ここで、本考案における和紙は、ミツマタやコウゾ等の靭皮繊維を原料として手漉きで作られた所謂「和紙」だけでなく、パルプやマニラ麻、または、合成繊維や不織布等から和紙の風合いを模して作られたものを含む。後述する、内側表面部３１，４１や外側表面部３２，４２に貼着される和紙も同様であり、また、中間部材５，６の素材として用いられる和紙も同様である。
【００１８】
第１主板２と第２主板３とが組み合わされて、第１側面部２３と後述する第２主板３の第１側面部３３とが延出する方向に延びる軸が、図１中上下方向に延びる第１の軸としての回動軸Ｘ１である。また、第１主板２と第２主板３とが組み合わされて、第２側面部２４と後述する第２主板３の第２側面部３４とが延出する方向に延びる軸が、回動軸Ｘ１と直交し、図７中上下方向に延びる第２の軸としての回動軸Ｘ２である。
この場合、第１外側表面部２２は、回動軸Ｘ１が延びる方向および回動軸Ｘ２が延びる方向に沿って設けられた端面部となる。
【００１９】
図３および図４に示すように、第２主板３は絵柄が表示される表面部として、矩形状の第２内側表面部３１と、第２主板３の厚さ方向において第２内側表面部３１とは反対側に設けられた矩形状の第２外側表面部３２とを備える。また、第２主板３は側面部として、第２主板３の厚さ方向と直交する方向に延出して第２内側表面部３１および第２外側表面部３２と直交する第１側面部３３と、第２主板３の厚さ方向および第１側面部３３の延出方向と直交する方向に延出して第２内側表面部３１および第２外側表面部３２と直交しかつ第１側面部３３と直交する第２側面部３４と、第２内側表面部３１および第２外側表面部３２を挟んで第１側面部３３とは反対側に設けられて第２主板３の厚さ方向と直交する方向（図４中上下方向）に延出する第３側面部３５と、第２内側表面部３１および第２外側表面部３２を挟んで第２側面部３４とは反対側に設けられて第２主板３の厚さ方向および第１側面部３３および第３側面部３５の延出方向と直交する方向に延出する第４側面部３６とを備える。
第１主板２と第２主板３とが組み合わされた際に、第１側面部３３は第１主板２の第１側面部２３に対向可能であり、第２側面部３４は第１主板２の第２側面部２４と対向可能である。また、第２主板３と第３主板４とが組み合わされた際に、第３側面部３５は後述する第３主板４の第１側面部４３に対向可能であり、第４側面部３６は後述する第３主板４の第２側面部４４に対向可能である。
【００２０】
第２内側表面部３１は、第１の内側辺３１１と、第１の内側辺３１１と直交する方向に延びる第２の内側辺３１２と、第２内側表面部３１を挟んで第１の内側辺３１１とは反対側に設けられ、第１の内側辺３１１と平行に延出して第２の内側辺３１２と直交する第３の内側辺３１３と、第２内側表面部３１を挟んで第２の内側辺３１２とは反対側に設けられ、第２の内側辺３１２と平行に延出して第１の内側辺３１１および第３の内側辺３１３と直交する第４の内側辺３１４とを備える。第１の内側辺３１１は第２内側表面部３１と第１側面部３３とが交わる辺であり、第２の内側辺３１２は第２内側表面部３１と第２側面部３４とが交わる辺であり、第３の内側辺３１３は第２内側表面部３１と第３側面部３５とが交わる辺であり、第４の内側辺３１４は第２内側表面部３１と第４側面部３６とが交わる辺である。
第２外側表面部３２は、第１の内側辺３１１と対向して第１の内側辺３１１と平行に延びる第１の外側辺３２１と、第１の外側辺３２１と直交する方向に延びて第２の内側辺３１２と対向する第２の外側辺３２２と、第２外側表面部３２を挟んで第１の外側辺３２１とは反対側に設けられ、第１の外側辺３２１と平行に延出して第３の内側辺３１３と対向する第３の外側辺３２３と、第２外側表面部３２を挟んで第２の外側辺３２２とは反対側に設けられ、第２の外側辺３２２と平行に延出して第４の内側辺３１４と対向する第４の外側辺３２４とを備える。
第２内側表面部３１および第２外側表面部３２には、絵柄が表示された和紙が貼着されている。
【００２１】
第２主板３と第３主板４とが組み合わされて、第３側面部３５と後述する第３主板４の第１側面部４３とが延出する方向に延びる軸が、図１中上下方向に延びる第３の軸としての回動軸Ｘ３である。また、第２主板３と第３主板４とが組み合わされて、第４側面部３６と後述する第３主板４の第２側面部４４とが延出する方向に延びる軸が、回動軸Ｘ３と直交し、図７中上下方向に延びる第４の軸としての回動軸Ｘ４である。
この場合、第１内側表面部２１は、回動軸Ｘ３が延びる方向および回動軸Ｘ４が延びる方向に沿って設けられた端面部となる。
【００２２】
図４に示すように、第３主板４は絵柄が表示される表面部として、矩形状の第３内側表面部４１と、第３主板４の厚さ方向において第３内側表面部４１とは反対側に設けられた矩形状の第３外側表面部４２とを備える。また、第３主板４は側面部として、第３主板４の厚さ方向と直交する方向に延出して第３内側表面部４１および第３外側表面部４２と直交する第１側面部４３と、第３主板４の厚さ方向および第１側面部４３の延出方向と直交する方向に延出して第３内側表面部４１および第３外側表面部４２と直交しかつ第１側面部４３と直交する第２側面部４４とを備える。
【００２３】
第３内側表面部４１は、第１の内側辺４１１と、第１の内側辺４１１と直交する方向に延びる第２の内側辺４１２とを備える。第１の内側辺４１１は第３内側表面部４１と第１側面部４３とが交わる辺であり、第２の内側辺４１２は第３内側表面部４１と第２側面部４４とが交わる辺である。
第３外側表面部４２は、第１の内側辺４１１と対向して第１の内側辺４１１と平行に延びる第１の外側辺４２１と、第１の外側辺４２１と直交する方向に延びて第２の内側辺４１２と対向する第２の外側辺４２２とを備える。
第３内側表面部４１および第３外側表面部４２には、絵柄が表示された和紙が貼着されている。
【００２４】
図１に示すように、第１中間部材５は和紙で形成された帯状の部材であり、第１帯状部材５１と第２帯状部材５２と第３帯状部材５３とを備える。
図３に示すように、第１帯状部材５１は、第１内側表面部２１と重なって折線Ｌ１Ａおよび折線Ｌ２Ａを有する平面視四角形状の第１主面部５１１と、第１の内側辺２１１に沿って第１主面部５１１から延設された第１延設部５１２と、第２の内側辺２１２に沿って第１主面部５１１から延設された第２延設部５１３とを備える。なお、折線Ｌ１Ａ，Ｌ２Ａは、実際に描かれた線ではなく、折り曲げられる箇所を示す仮想線である。以下の説明で出てくる他の折線についても同じである。
【００２５】
第１延設部５１２は、折線Ｌ１Ａを用いて折り曲げ可能であり、折線Ｌ３Ａを介して連設された第１対向部５１４と第１連結部５１５とを備える。
第２延設部５１３は、折線Ｌ２Ａを用いて折り曲げ可能であり、折線Ｌ４Ａを介して連設された第２対向部５１６と第２連結部５１７とを備える。
第１対向部５１４の高さｈ１ａと第２対向部５１６の高さｈ２ａとは、第１主板２の厚さＴ１と等しい。
【００２６】
第２帯状部材５２は、第２内側表面部３１と重なって折線Ｌ５Ａおよび折線Ｌ６Ａを有する平面視四角形状の第１主面部５２１と、第１の内側辺３１１に沿って第１主面部５２１から延設された第１延設部５２２と、第２の内側辺３１２に沿って第１主面部５２１から延設された第２延設部５２３とを備える。
【００２７】
第１延設部５２２は、折線Ｌ５Ａを用いて折り曲げ可能であり、折線Ｌ７Ａを介して連設された第１対向部５２４と第１連結部５２５とを備える。
第２延設部５２３は、折線Ｌ６Ａを用いて折り曲げ可能であり、折線Ｌ８Ａを介して連設された第２対向部５２６と第２連結部５２７とを備える。
第１対向部５２４の高さｈ３ａと第２対向部５２６の高さｈ４ａとは、第２主板３の厚さＴ２と等しい。
【００２８】
第３帯状部材５３は、第１内側表面部２１と重なって折線Ｌ９Ａおよび折線Ｌ１０Ａを有する平面視三角形状の第１主面部５３１と、第１の内側辺２１１に沿って第１主面部５３１から延設された第１延設部５３２と、第２の内側辺２１２に沿って第１主面部５３１から延設された第２延設部５３３とを備える。
【００２９】
第１延設部５３２は、折線Ｌ９Ａを用いて折り曲げ可能であり、折線Ｌ１１Ａを介して連設された第１対向部５３４と第１連結部５３５とを備える。
第２延設部５３３は、折線Ｌ１０Ａを用いて折り曲げ可能であり、折線Ｌ１２Ａを介して連設された第２対向部５３６と第２連結部５３７とを備える。
第１対向部５３４の高さｈ５ａと第２対向部５３６の高さｈ６ａとは、第１主板２の厚さＴ１と等しい。
【００３０】
図２に示すように、第２中間部材６は第１中間部材５と同様に和紙で形成された帯状の部材であり、第１帯状部材６１と第２帯状部材６２と第３帯状部材６３とを備える。
図４に示すように、第１帯状部材６１は、第３外側表面部４２と重なって折線Ｌ１Ｂおよび折線Ｌ２Ｂを有する平面視四角形状の第２主面部６１１と、第１の外側辺４２１に沿って第２主面部６１１から延設された第３延設部６１２と、第２の外側辺４２２に沿って第２主面部６１１から延設された第４延設部６１３とを備える。
【００３１】
第３延設部６１２は、折線Ｌ１Ｂを用いて折り曲げ可能であり、折線Ｌ３Ｂを介して連設された第３対向部６１４と第３連結部６１５とを備える。
第４延設部６１３は、折線Ｌ２Ｂを用いて折り曲げ可能であり、折線Ｌ４Ｂを介して連設された第４対向部６１６と第４連結部６１７とを備える。
第３対向部６１４の高さｈ１ｂと第４対向部６１６の高さｈ２ｂとは、第３主板４の厚さＴ３と等しい。
【００３２】
第２帯状部材６２は、第２外側表面部３２と重なって折線Ｌ５Ｂおよび折線Ｌ６Ｂを有する平面視四角形状の第２主面部６２１と、第３の外側辺３２３に沿って第２主面部６２１から延設された第３延設部６２２と、第４の外側辺３２４に沿って第２主面部６２１から延設された第４延設部６２３とを備える。
【００３３】
第３延設部６２２は、折線Ｌ５Ｂを用いて折り曲げ可能であり、折線Ｌ７Ｂを介して連設された第３対向部６２４と第３連結部６２５とを備える。
第４延設部６２３は、折線Ｌ６Ｂを用いて折り曲げ可能であり、折線Ｌ８Ｂを介して連設された第４対向部６２６と第４連結部６２７とを備える。
第３対向部６２４の高さｈ３ｂと第４対向部６２６の高さｈ４ｂとは、第２主板３の厚さＴ２と等しい。
【００３４】
第３帯状部材６３は、第３外側表面部４２と重なって折線Ｌ９Ｂおよび折線Ｌ１０Ｂを有する平面視三角形状の第２主面部６３１と、第１の外側辺４２１に沿って第２主面部６３１から延設された第３延設部６３２と、第２の外側辺４２２に沿って第２主面部６３１から延設された第４延設部６３３とを備える。
【００３５】
第３延設部６３２は、折線Ｌ９Ｂを用いて折り曲げ可能であり、折線Ｌ１１Ｂを介して連設された第３対向部６３４と第３連結部６３５とを備える。
第４延設部６３３は、折線Ｌ１０Ｂを用いて折り曲げ可能であり、折線Ｌ１２Ｂを介して連設された第４対向部６３６と第４連結部６３７とを備える。
第３対向部６３４の高さｈ５ｂと第４対向部６３６の高さｈ６ｂとは、第３主板４の厚さＴ３と等しい。
【００３６】
次に、仕切具１の組み立て方について説明する。
まず、図３を用いて第１主板２と第２主板３との連結方法について説明する。
図３に示すように、第１主板２と第２主板３とを、内側表面部２１，３１が表面となるように配置する。そして、第１中間部材５の第１帯状部材５１を第１内側表面部２１上に載置する。そして、第１帯状部材５１を折線Ｌ２Ａで折り曲げ、第１主板２の第２側面部２４に第２対向部５１６を対向させる。このとき、折線Ｌ４Ａは第２の外側辺２２２と対向する。次に、折線Ｌ４Ａで折り曲げ、第２連結部５１７を第１外側表面部２２に当接させてのり等で貼着する。
【００３７】
同様に、第２帯状部材５２を第２内側表面部３１上に載置する。そして、第２帯状部材５２を折線Ｌ６Ａで折り曲げ、第２主板３の第２側面部３４に第２対向部５２６を対向させる。次に、折線Ｌ８Ａで折り曲げ、第２連結部５２７を第２外側表面部３２に当接させてのり等で貼着する。
同様に、第３帯状部材５３を第１内側表面部２１上に載置する。そして、第３帯状部材５３を折線Ｌ１０Ａで折り曲げ、第２側面部２４に第２対向部５３６を対向させる。次に、折線Ｌ１２Ａを用いて折り曲げ、第２連結部５３７を第１外側表面部２２に当接させてのり等で貼着する。
【００３８】
続いて、第１主板２の第１側面部２３と第２主板３の第１側面部３３とが対向するように、第１主板２および第２主板３を配置する。そして、第１帯状部材５１を折線Ｌ１Ａで折り曲げ、第２主板３の第１側面部３３に第１対向部５１４を対向させる。このとき、折線Ｌ３Ａは第２主板３の第１の外側辺３２１と対向する。そして、第１連結部５１５を第２外側表面部３２に当接させてのり等で貼着する。
同様に、第２帯状部材５２を折線Ｌ５Ａで折り曲げ、第１主板２の第１側面部２３に第１対向部５２４を対向させる。そして、第１連結部５２５を第１外側表面部２２に当接させてのり等で貼着する。
同様に、第３帯状部材５３を折線Ｌ９Ａで折り曲げ、第２主板３の第１側面部３３に第１対向部５３４を対向させる。そして、第１連結部５３５を第２外側表面部３２に当接させてのり等で貼着する。
上記のように、第１中間部材５の第１帯状部材５１から第３帯状部材５３は、第１内側表面部２１と第２内側表面部３１との間に介在して、第１主板２と第２主板３とを連結する。
【００３９】
次に、図４を用いて第２主板３と第３主板４との連結方法について説明する。
上記で説明した第１主板２と第２主板３との連結方法では、内側表面部２１，３１側に第１主面部５１１，５２１，５３１が現れるように第１中間部材５を配置していたが、第２主板３と第３主板４との連結方法では第２中間部材６が配置される表面部が逆となり、外側表面部３２，４２側に第２主面部６１１，６２１，６３１が現れるように第２中間部材６を配置する。以下にその詳細について説明する。
【００４０】
図４に示すように、第１中間部材５により連結された第１主板２と第２主板３とを、裏表を反対側にして、外側表面部２２，３２が表面となるようにして配置する。同様に、第３主板４を第３外側表面部４２が表面となるように配置し、この第３外側表面部４２上に第２中間部材６の第１帯状部材６１を載置する。そして、第１帯状部材６１を折線Ｌ２Ｂで折り曲げ、第３主板４の第２側面部４４に第４対向部６１６を対向させる。このとき、折線Ｌ４Ｂは第２の内側辺４１２と対向する。次に、折線Ｌ４Ｂで折り曲げ、第４連結部６１７を第３内側表面部４１に当接させてのり等で貼着する。
【００４１】
同様に、第２帯状部材６２を第２外側表面部３２上に載置する。そして、第２帯状部材６２を折線Ｌ６Ｂで折り曲げ、第２主板３の第４側面部３６に第４対向部６２６を対向させる。次に、折線Ｌ８Ｂで折り曲げ、第４連結部６２７を第２内側表面部３１に当接させてのり等で貼着する。
同様に、第３帯状部材６３を第３外側表面部４２上に載置する。そして、第３帯状部材６３を折線Ｌ１０Ｂで折り曲げ、第２側面部４４に第４対向部６３６を対向させる。次に、折線Ｌ１２Ｂを用いて折り曲げ、第４連結部６３７を第３内側表面部４１に当接させてのり等で貼着する。
【００４２】
続いて、第２主板３の第３側面部３５と第３主板４の第１側面部４３とが対向するように、第２主板３および第３主板４を配置する。そして、第１帯状部材６１を折線Ｌ１Ｂで折り曲げ、第２主板３の第３側面部３５に第３対向部６１４を対向させる。このとき、折線Ｌ３Ｂは第２主板３の第３の内側辺３１３と対向する。そして、第３連結部６１５を第２内側表面部３１に当接させてのり等で貼着する。
同様に、第２帯状部材６２を折線Ｌ５Ｂで折り曲げ、第３主板４の第１側面部４３に第３対向部６２４を対向させる。そして、第３連結部６２５を第３内側表面部４１に当接させてのり等で貼着する。
同様に、第３帯状部材６３を折線Ｌ９Ｂで折り曲げ、第２主板３の第３側面部３５に第３対向部６３４を対向させる。そして、第３連結部６３５を第２内側表面部３１に当接させてのり等で貼着する。
なお、中間部材５，６による連結について、どの順番で作業を行うかは適宜変更可能である。
【００４３】
そして、第１主板２および第２主板３と、第２主板３および第３主板４とが中間部材５，６により連結されたら、最後に、内側表面部２１，３１，４１および外側表面部２２，３２，４２のそれぞれに、絵柄が表示された和紙を貼付する。この際、和紙は第１中間部材５の第１主面部５１１，５２１，５３１および第２中間部材６の第２主面部６１１，６２１，６３１の下側で、かつ、第１連結部５１５，５２５，５３５、第２連結部５１７，５２７，５３７、第３連結部６１５，６２５，６３５および第４連結部６１７，６２７，６３７の上側に配置されて貼付される。つまり、各主面部は和紙よりも上側に配置されて各表面部上に現れ、各連結部は和紙よりも下側に配置されて隠れる。これにより、各主面部は仕切具１のデザインの一部となる一方で、各連結部は和紙により隠されるので見栄えが悪くなることを防ぐことができる。
【００４４】
次に、このように組み立てられた仕切具１の回動動作について、図５から図８に基づいて説明する。
第１主板２と第２主板３とは、第１内側表面部２１と第２内側表面部３１とが対向するように閉じた状態から、図５（Ａ）に示すように、回動軸Ｘ１を中心として回動させて開くことができる。
この時、第１中間部材５の帯状部材５１，５２，５３は、第１主面部５１１，５３１が第１内側表面部２１と重なった状態となり、第１主面部５２１が第２内側表面部３１と重なった状態で現れる。
【００４５】
また、第１主板２と第２主板３とは、第１内側表面部２１と第２内側表面部３１とが対向するように閉じた状態から、図５（Ｂ）に示すように、回動軸Ｘ２を中心としても相対的に回動させて開くことができる。
この時、第１中間部材５の帯状部材５１，５２，５３は、第１主面部５１１，５３１が第２内側表面部３１と重なった状態となり、第１主面部５２１が第１内側表面部２１と重なった状態で現れる。
このように、帯状部材５１，５２，５３の第１主面部５１１，５２１，５３１は、第１主板２と第２主板３とが回動する際に中心となる軸によって、重なった状態で現れる表面部が異なる。つまり、第１主面部５１１，５２１，５３１は、第１主板２と第２主板３とが回動する軸を中心として回動する。このことにより、第１主板２と第２主板３とは、回動軸Ｘ１および回動軸Ｘ２の両方を中心に回動することができる。また、第２主板３と第３主板４とは、上記と同様の構造で第２中間部材６により連結されているので、回動軸Ｘ３および回動軸Ｘ４の両方を中心に回動することができる。
【００４６】
図５（Ｂ）に示す状態から、第２主板３と第３主板４とを、回動軸Ｘ４を中心として回動させて開くと図６、図７に示す状態となる。図６は、仕切具１を内側から見た状態を示し、図７は、仕切具１を外側から見た状態を示す。
このように、第１主板２、第２主板３および第３主板４の短辺側の回動軸Ｘ２，Ｘ４を中心として開くことができるので、仕切具１は平面視においてより広い範囲の空間を仕切ることができる。
【００４７】
さらに、図５（Ｂ）に示す状態から、第２主板３と第３主板４とを、回動軸Ｘ３を中心として回動させて開くと図８（Ａ）に示す状態となる。また、図５（Ａ）に示す状態から、第２主板３と第３主板４とを、回動軸Ｘ４を中心として回動させて開くと図８（Ｂ）に示す状態とすることができる。
このように、第１主板２および第２主板３と、第２主板３および第３主板４とのいずれか一方を長辺側の回動軸で回動させて開き、他方を短辺側の回動軸で回動させて開くことができる。そのため、第１主板２および第２主板３の開き方と、第２主板３および第３主板４の開き方との組み合わせにより、仕切具１を様々なバリエーションで配置することができる。
【００４８】
次に、各回動軸において、１８０度よりも大きい角度で回動させて各主板を開く場合について図１、９に基づいて説明する。
第１主板２と第２主板３とを、図１に示した状態からさらに回動させて開くと、図９に示す状態となる。この時、第１連結部５１５，５３５が第２外側表面部３２に貼着され、第１連結部５２５が第１外側表面部２２に貼着されている一方で、第１対向部５１４，５３４は第２主板３の第１側面部３３とは接着されておらず、かつ第１対向部５２４も第１主板２の第１側面部２３とは接着されていない。そのため、第１対向部５１４，５３４は第２主板３の第１側面部３３から離れることができ、第１対向部５２４は第１主板２の第１側面部２３から離れることができる。これにより、第１主板２と第２主板３とを回動軸Ｘ１を中心として、第１内側表面部２１と第２内側表面部３１とのなす角度が１８０度より大きな角度となるように相対的に回動可能となる。
また、第２主板３と第３主板４とは、第１主板２および第２主板３と同様の構造で連結されているので、図２に示す状態から回動軸Ｘ３を中心として、第２外側表面部３２と第３外側表面部４２とのなす角度が１８０度より大きな角度となるように相対的に回動可能となる。
【００４９】
以上のような本実施形態では、以下の効果がある。
（１）本実施形態の仕切具１では、第１中間部材５の帯状部材５１，５２，５３が、それぞれ回動軸Ｘ１が延びる方向および回動軸Ｘ２が延びる方向に沿って設けられた第１外側表面部２２と第２外側表面部３２とを連結する。そして、第２中間部材６の帯状部材６１，６２，６３が、それぞれ回動軸Ｘ３が延びる方向および回動軸Ｘ４が延びる方向に沿って設けられた第２内側表面部３１と第３内側表面部４１とを連結する。これにより、第１主板２と第２主板３とを回動軸Ｘ１および回動軸Ｘ２を中心として開くことができ、第２主板３と第３主板４とを回動軸Ｘ３および回動軸Ｘ４を中心として開くことができる。そのため、第１主板２および第２主板３の開き方と、第２主板３および第３主板４の開き方との組み合わせにより、仕切具１を様々なバリエーションで配置することができ、このような仕切具１が配置された茶室等の空間は記憶に残り易い印象を与えることができる。また、配置のバリエーションにより、仕切具１の前に配置される人形等の飾り物をより際立たせることができる。
【００５０】
（２）第１中間部材５の第１帯状部材５１が第１延設部５１２および第２延設部５１３を備え、第２帯状部材５２が第１延設部５２２および第２延設部５２３を備え、第３帯状部材５３が第１延設部５３２および第２延設部５３３を備えている。そして、第１帯状部材５１では、第１延設部５１２の第１連結部５１５が第２外側表面部３２に貼着され、第２延設部５１３の第２連結部５１７が第１外側表面部２２に貼着される。また、第２帯状部材５２では、第１延設部５２２の第１連結部５２５が第１外側表面部２２に貼着され、第２延設部５２３の第２連結部５２７が第２外側表面部３２に貼着される。また、第３帯状部材５３では、第１延設部５３２の第１連結部５３５が第２外側表面部３２に貼着され、第２延設部５３３の第２連結部５３７が第１外側表面部２２に貼着される。このような構成により、第１主板２と第２主板３とを回動軸Ｘ１または回動軸Ｘ２を中心として、第１内側表面部２１と第２内側表面部３１とのなす角度が１８０度より大きな角度となるように相対的に回動させて開くことができる。また、第２中間部材６は、第１中間部材５と同様の構造を備えるため、第２主板３と第３主板４とを回動軸Ｘ３または回動軸Ｘ４を中心として、第２外側表面部３２と第３外側表面部４２とのなす角度が１８０度より大きな角度となるように相対的に回動させて開くことができる。このため、第１主板２および第２主板３と、第２主板３および第３主板４とを様々な角度で開くことができ、仕切具１の配置のバリエーションをより増やすことができる。
（３）第１中間部材５が第１連結部５１５，５２５，５３５および第２連結部５１７，５２７，５３７を介して第１主板２および第２主板３に連結される。このため、第１主板２と第３主板４とを簡易で連結することができる。また、第２中間部材６は第１中間部材５と同様の構造を備えるので、第２主板３と第３主板４とを簡易な構造で連結することができる。
【００５１】
（４）また、（２）の構成により、第１主板２は、第１帯状部材５１の第２延設部５１３と第２帯状部材５２の第１延設部５２２と第３帯状部材５３の第２延設部５３３とによって、互いに直交する第１側面部２３および第２側面部２４側から支持される。第２主板３は、第１帯状部材５１の第１延設部５１２と第２帯状部材５２の第２延設部５２３と第３帯状部材５３の第１延設部５３２とによって、互いに直交する第１側面部３３および第２側面部３４側から支持される。このため、第１主板２と第２主板３とを回動軸Ｘ１または回動軸Ｘ２を中心として相対的に回動させた場合に、第１主板２および第２主板３がぐらつくことを防止できる。また、第２主板３および第３主板４も同様の構造で連結されるので、回動軸Ｘ３または回動軸Ｘ４を中心として相対的に回動させた場合に、第２主板３および第３主板４がぐらつくことを防止できる。
【００５２】
（５）中間部材５，６が和紙で形成されているため、第１主板２と第２主板３とを回動軸Ｘ１または回動軸Ｘ２を中心として相対的に回動させた場合や、第２主板３と第３主板４とを回動軸Ｘ３または回動軸Ｘ４を中心として相対的に回動させた場合でも、折り曲げ力に耐えることができ、中間部材５，６が破れることを防止できる。
【００５３】
なお、本考案は前述の実施形態に限定されるものではなく、本考案の目的を達成できる範囲での変形、改良等は本考案に含まれるものである。
前記実施形態では、第１中間部材５の帯状部材５１，５２，５３が、それぞれ第１外側表面部２２と第２外側表面部３２とに連結されていたが、第１内側表面部２１と第２内側表面部３１との成す角度を１８０度以下の角度の範囲で、第１主板２と第２主板３とを相対的に回動させる場合には、帯状部材５１，５２，５３をそれぞれ、第１内側表面部２１と第２内側表面部３１とに連結してもよい。この場合には、第１内側表面部２１および第２内側表面部３１が、回動軸Ｘ１が延びる方向および回動軸Ｘ２が延びる方向に沿って設けられた端面部となる。また、同様に、第２中間部材６の帯状部材６１，６２，６３をそれぞれ第２外側表面部３２と第３外側表面部４２とに連結してもよい。
【００５４】
前記実施形態では、第１中間部材５は第１帯状部材５１、第２帯状部材５２および第３帯状部材５３の３つの部材から構成されていたが、これには限定されず、例えば、第１帯状部材５１、第２帯状部材５２および第３帯状部材５３が１つに組み合わされた単一の部材であってもよい。同様に、第２中間部材６も単一の部材であってもよい。
【００５５】
前記実施形態では、仕切具１は第１主板２、第２主板３および第３主板４の３枚の主板を備えていたが、これには限定されず、仕切具１が４枚以上の主板を備えていてもよい。
例えば、図１０（Ａ）に示す仕切具１０Ａのように、第１主板２０Ａから第４主板５０Ａまでの４枚の主板を備えていてもよい。また、図１０（Ｂ）に示す仕切具１０Ｂのように、第１主板２０Ｂから第６主板７０Ｂまでの６枚の主板を備えていてもよく、さらに、図１０（Ｃ）に示す仕切具１０Ｃのように、第１主板２０Ｃから第８主板９０Ｃまでの８枚の主板を備えていてもよい。
【００５６】
図１０（Ｃ）に示すように、仕切具１０Ｃが８枚の主板を備える場合、例えば、図１１（Ａ）、（Ｂ）に示すような配置とすることができる。図１１（Ａ）に示す状態では、中央部に配置された第４主板５０Ｃと第５主板６０Ｃとが短辺側の回動軸（図１１中左右方向）を中心として開き、それ以外の隣り合う主板同士は長辺側の回動軸（図１１中上下方向）を中心として開いている。一方、図１１（Ｂ）に示す状態では、中央部に配置された第４主板５０Ｃと第５主板６０Ｃとが長辺側の回動軸（図１１中左右方向）を中心として開き、それ以外の隣り合う主板同士は短辺側の回動軸（図１１中上下方向）を中心として開いている。つまり、図１１（Ａ）、（Ｂ）に示す状態では、仕切具１０Ｃは、第４主板５０Ｃと第５主板６０Ｃとにより上下方向に連結しており、それ以外の主板により左右方向に連結している。
さらに、図１２に示すように、仕切具１０Ｃは、長辺側と短辺側の回動軸を組み合わせることにより、第１主板２０Ｃから第８主板９０Ｃまでを、左右非対称で立体的な配置とすることもできる。
このように、仕切具が備える主板の枚数を増やすことにより、配置のバリエーションをより増やすことができる。
【００５７】
前記実施形態では、中間部材５，６は和紙で形成されていたが、これには限定されず、ビニール等の可撓性のある樹脂材料や、金属、木材等から形成されていてもよい。中間部材５，６が金属で形成される場合には、第１主板２および第２主板３との連結部分を複数列のボルトを介して第１主板２および第２主板３と連結する。同様に、第２主板３および第３主板４との連結部分を複数列のボルトを介して連結する。
【００５８】
前記実施形態では、仕切具１が備える各主板の大きさは、長辺側の長さが３００ｍｍ程度、短辺側の長さが２００ｍｍ程度、厚さが２５ｍｍ程度であったが、これには限定されず、これより大きな物や小さな物であってもよく、また、各主板の表面部の形状は長方形に限定されず、例えば、正方形であってもよい。さらに、仕切具１は、主に茶室において用いられる風炉先屏風としていたが、これには限定されず、人形等の後方に配置される人形用屏風や、枕元に置かれる枕屏風、式典等で用いられる金屏風等であってもよく、空間を仕切る仕切具であればよい。
【産業上の利用可能性】
【００５９】
本考案は、屏風等の仕切具として利用できる。
【符号の説明】
【００６０】
１，１０Ａ，１０Ｂ，１０Ｃ…仕切具、２…第１主板、３…第２主板、４…第３主板、５…第１中間部材、６…第２中間部材、２１…第１内側表面部、２２…端面部である第１外側表面部、２３，３３，４３…第１側面部、２４，３４，４４…第２側面部、３１…端面部である第２内側表面部、３２…端面部である第２外側表面部、３５…第３側面部、３６…第４側面部、４１…端面部である第３内側表面部、４２…第３外側表面部、５１，６１…第１帯状部材、５２，６２…第２帯状部材、５３，６３…第３帯状部材、１００…扇板体、１０１…ヒンジ構造、１０２，１０３…丁番帯、１０４…中間丁番帯、１０５…中間部位、２１１，３１１，４１１…第１の内側辺、２１２，３１２，４１２…第２の内側辺、２２１，３２１，４２１…第１の外側辺、２２２，３２２，４２２…第２の外側辺、５１１，５２１，５３１…第１主面部、５１２，５２２，５３２…第１延設部、５１３，５２３，５３３…第２延設部、５１４，５２４，５３４…第１対向部、５１５，５２５，５３５…第１連結部、５１６，５２６，５３６…第２対向部、５１７，５２７，５３７…第２連結部、６１１，６２１，６３１…第２主面部、６１２，６２２，６３２…第３延設部、６１３，６２３，６３３…第４延設部、６１４，６２４，６３４…第３対向部、６１５，６２５，６３５…第３連結部、６１６，６２６，６３６…第４対向部、６１７，６２７，６３７…第４連結部。
【図１】
0003213546.tif 000003
【図２】
0003213546.tif 000004
【図３】
0003213546.tif 000005
【図４】
0003213546.tif 000006
【図５】
0003213546.tif 000007
【図６】
0003213546.tif 000008
【図７】
0003213546.tif 000009
【図８】
0003213546.tif 000010
【図９】
0003213546.tif 000011
【図１０】
0003213546.tif 000012
【図１１】
0003213546.tif 000013
【図１２】
0003213546.tif 000014
【図１３】
0003213546.tif 000015